(57)【要約】  計量キャップの基部外面上に表面凹凸部（１５０）を有する計量キャップを有する洗濯洗剤用包装であって、視線が基部外面と同じ高さである観察者が一次ラベル面（２）を見たときに、表面凹凸部が洗濯洗剤用包装の観察者に視認可能である、洗濯洗剤用包装。
2015527260.tif 000002
【特許請求の範囲】
【請求項１】
洗濯洗剤用包装（１）であって、
容器内面（１１２）と、反対側の容器外面（１１１）とを有する容器（１１０）であって、前記容器外面が、一次ラベル面（２）を有する、容器（１１０）と、
基部（２０）と、前記基部から延びる器壁部（６０）とを備える計量キャップ（１０）であって、前記基部が、基部内面（３０）と、反対側の基部外面（４０）とを有し、前記器壁部が、器壁部内面（７０）と、反対側の器壁部外面（８０）とを有し、前記基部外面が、表面凹凸部の領域（１５０）を含む、計量キャップ（１０）と、を備え、
前記計量キャップが、前記容器と取り外し可能に係合し、
前記一次ラベル面が、目（１８）が前記基部外面と同じ高さである観察者（１７）の視線と整列したときに、前記表面凹凸部の領域が前記観察者に視認可能であるように位置付けられる、洗濯洗剤用包装。
【請求項２】
前記器外面が、前記器壁部に対して窪んだ部分、前記器壁部に対して隆起した部分、及びこれらの組み合わせからなる群から選択される複数の把持凹凸部（２６０）を含む、請求項１に記載の洗濯洗剤用包装。
【請求項３】
前記表面凹凸部の領域が、前記計量キャップの長手方向軸線（Ｌ）に直交する平面内に重心（２３）を有し、前記重心が、前記計量キャップの前記長手方向軸線を中心に測定した場合に、前記視線から約π／８ラジアンを超えて離れている、請求項１又は２に記載の洗濯洗剤。
【請求項４】
前記重心が、前記計量キャップの前記長手方向軸線を中心に測定した場合に、前記視線から約π／２ラジアン離れている、請求項３に記載の洗濯洗剤用包装。
【請求項５】
前記表面凹凸部の領域が、リング（１５８）、リブ（１５２）、突起部（１５４）、毛（１５６）、繊維、及びこれらの組み合わせからなる群から選択される構造体である、請求項１〜４のいずれか一項に記載の洗濯洗剤用包装。
【請求項６】
前記表面凹凸部の領域が第１の材料（６５２）を含み、前記器壁部が第２の材料（６５３）を含み、前記第１の材料と前記第２の材料とが化学組成において互いに異なっている、請求項１〜５のいずれか一項に記載の洗濯洗剤用包装。
【請求項７】
前記表面凹凸部の領域が第１の材料を含み、前記器壁部が第２の材料を含み、前記第１の材料及び前記第２の材料が、色のＬ＊、ａ＊、及びｂ＊に従ってハンター反射率計試験によって測定され、前記第１の材料が色差を有し、前記色差が、Ｌ＊、ａ＊、及びｂ＊の値を使用して、式ΔΕ＝［（Ｌ＊Ｘ．−Ｌ＊Ｙ）２＋（ａ＊Ｘ．−ａ＊Ｙ）２＋（ｂ＊Ｘ−ｂ＊Ｙ）２］１／２によって計算され、前記第１の材料と前記第２の材料との間の前記ΔＥが、少なくとも約１である、請求項１〜６のいずれか一項に記載の洗濯洗剤用包装。
【請求項８】
前記表面凹凸部の領域が毛を含む、請求項１〜７のいずれか一項に記載の洗濯用包装。
【請求項９】
前記容器が、前記容器と一体になった又は前記容器から延びるハンドル（１３）を有し、前記表面凹凸部の領域が重心を有し、前記ハンドルと前記重心とが、前記包装の共通側に実質的に整列されるか、又は前記包装の両側にある、請求項１〜８のいずれか一項に記載の洗濯用包装。
【請求項１０】
複数の洗濯用包装であって、それぞれが請求項１〜９のいずれか一項に記載の洗濯用包装であり、前記計量キャップのそれぞれが長手方向軸線を有し、それぞれの計量キャップの前記長手方向軸線が、共通の整列ライン（２１０）内に実質的に整列されるように、前記複数の洗濯用包装が配置される、複数の洗濯用包装。
【請求項１１】
それぞれの表面凹凸部の領域が、それぞれの計量キャップの長手方向軸線に直交する平面内に重心を有し、それぞれの重心が、それぞれの計量キャップの前記長手方向軸線を中心に測定した場合に、前記視線から約π／８ラジアンを超えて離れている、請求項１０に記載の複数の洗濯用包装。
【請求項１２】
それぞれの表面凹凸部の領域が、それぞれの計量キャップの長手方向軸線に直交する平面内に重心を有し、前記重心のそれぞれが、それぞれの長手方向軸線を中心に測定した場合に、前記共通の整列ラインから約０ラジアン離れて位置付けられる、請求項１０又は１１に記載の複数の洗濯用包装。
【請求項１３】
それぞれの表面凹凸部の領域が、リング、リブ、突起部、毛、繊維、及びこれらの組み合わせからなる群から選択される構造体である、請求項１０〜１２のいずれか一項に記載の複数の洗濯用包装。
【請求項１４】
それぞれの表面凹凸部の領域が第１の材料を含み、前記器壁部が第２の材料を含み、前記第１の材料と前記第２の材料とが化学組成において互いに異なっている、請求項１０〜１２のいずれか一項に記載の複数の洗濯用包装。
【請求項１５】
それぞれの表面凹凸部の領域が第１の材料を含み、前記器壁部が第２の材料を含み、前記第１の材料及び前記第２の材料が、色のＬ＊、ａ＊、及びｂ＊に従ってハンター反射率計試験によって測定され、前記第１の材料が色差を有し、前記色差が、Ｌ＊、ａ＊、及びｂ＊の値を使用して、式ΔＥ＝［（Ｌ＊Ｘ．−Ｌ＊Ｙ）２＋（ａ＊Ｘ．−ａ＊Ｙ）２＋（ｂ＊Ｘ−ｂ＊Ｙ）２］１／２によって計算され、前記第１の材料と前記第２の材料との間の前記ΔＥが、少なくとも約１である、請求項１０〜１４のいずれか一項に記載の複数の洗濯用包装。
【発明の詳細な説明】
【技術分野】
【０００１】
外見上わかる前処理機能を有する洗濯洗剤用包装。
【背景技術】
【０００２】
汚れを前処理するための装置として使用されるように設計されたこすり（scrubbing）要素を有する計量キャップは、洗濯洗剤用包装のクロージャ又は取着される計量キャップとして提供され得る。こすり要素は計量キャップの一部に設けることができ、このこすり要素は、包装が閉鎖位置にあるときには包装の内部に配置される。例えば、こすり要素は、計量キャップの縁又は縁の近くに配設されてもよく、それにより、計量キャップが容器にスナップ止めされるか、又は洗濯洗剤を収容している容器の開口部に螺入されると、こすり要素は、移送中、陳列中、及び製品の使用と使用の間は、容器内部で保護される。計量キャップをこのように構成することの１つの欠点は、購入者が小売店の棚から製品を選択しているときに、こすり要素が購入者から見えなくなることである。このような構成は、こすり要素が包装内部に隠れているので、キャップによって提供される前処理（pre-treat）効果に消費者が気付かない可能性があるという理由から、洗濯洗剤の販売業者にとって最も望ましいものではあり得ない。
【０００３】
計量キャップによって前処理効果が提供されるということを消費者が認識する能力を改善するため、設計者は、選択時に消費者にとってこすり要素の視認性がより高くなるように、こすり要素を計量キャップの外面に位置決めすることを選択してもよい。そのような選択は、消費者が包装を手に持っているとき、又は包装がテーブルの上に陳列されているときに、洗濯洗剤用包装を調べている消費者には役立ち得るが、こすり要素を計量キャップの外側に位置決めするだけでは、選択時にこすり要素の十分な視認性を提供するのに十分ではない可能性がある。
【０００４】
洗濯洗剤は、通常、包装の高さよりわずかに大きいだけの開放高さを有する棚に陳列される。小売店は、床から約２．５ｍまでの範囲の高さで消費者に提示することができる製品の量を最大にするために、棚をそのように配置し、この高さは、床面積１平方メートル当たり最大量の在庫を提供するのを可能にし、かつ都合よく見ることができる範囲内となり得る。よって、包装の頂部となる計量キャップの基部、及び計量キャップの周壁の一部は、多くの場合、消費者が包装を棚から取り出さない限り、消費者から見えにくい。
【発明の概要】
【発明が解決しようとする課題】
【０００５】
これら制限を念頭に入れて、キャップ又は計量キャップの一体部分として設けられるこすり要素といったエキサイティングな技術を、洗濯洗剤用包装の外側部分に加える場合、小売店の棚のどの製品を購入しようかと購入者が選んでいるときに、エキサイティングな特徴が購入者の視野内にあることを確実にする必要性及び要望が存在する。これは、洗濯洗剤の技術が分子的に決定されることが多く、この技術が消費者にとって視覚的に認識可能でなく、販売業者が、自身の製品と共に提供される技術のある側面を潜在的消費者に直接示すあらゆる機会を切望していることを考慮した場合に、特に当てはまる。
【課題を解決するための手段】
【０００６】
洗濯洗剤用包装であって、容器内面と、反対側の容器外面とを有する容器であって、容器外面は、一次ラベル面を有する、容器と、基部と、基部から延びる器壁部とを備える計量キャップであって、基部は、基部内面と、反対側の基部外面とを有し、器壁部は、器壁部内面と、反対側の器壁部外面とを有し、基部外面は、表面凹凸部の領域を含む、計量キャップと、を備え、計量キャップは、容器と取り外し可能に係合し、一次ラベル面が、目が基部外面と同じ高さである観察者の視線と整列したときに、表面凹凸部の領域が観察者に視認可能であるように位置付けられる、洗濯洗剤用包装。
【０００７】
複数の洗濯用包装。各洗濯用包装は、容器内面と、反対側の容器外面とを有する容器であって、容器外面は、一次ラベル面を有する、容器と、基部と、基部から延びる器壁部とを備える計量キャップであって、基部は、基部内面と、反対側の基部外面とを有し、器壁部は、器壁部内面と、反対側の器壁部外面とを有し、基部外面は、表面凹凸部の領域を含む、計量キャップと、を備え、計量キャップは、容器と取り外し可能に係合し、一次ラベル面が、目が基部外面と同じ高さである観察者の視線と整列したときに、表面凹凸部の領域が観察者に視認可能であるように位置付けられ、計量キャップのそれぞれは長手方向軸線を有し、それぞれの計量キャップの長手方向軸線が、共通の整列ライン内に実質的に整列されるように、複数の洗濯用包装が配置される。
【図面の簡単な説明】
【０００８】
【図１】小売店の棚の上にある、観察者から見た洗濯洗剤用包装である。
【図２】小売店の棚の上の洗濯洗剤用包装を見ている観察者の図である。
【図３】洗濯洗剤用包装に対する観察者の目の位置を例示する、洗濯洗剤用包装の上面図である。
【図４】棚の上に配置された複数の洗濯洗剤用包装の図である。
【図５】リブを例示する概略図である。
【図６】突起部を例示する概略図である。
【図７】毛を例示する概略図である。
【図８】リングを例示する概略図である。
【図９】計量キャップの斜視図の概略図である。
【発明を実施するための形態】
【０００９】
図１は、棚４００の上の洗濯洗剤用包装１の実施形態を示す。広くは、洗濯洗剤用包装１は、２０１２年６月２９日の時点でＰｒｏｃｔｅｒ  ＆  Ｇａｍｂｌｅ  Ｃｏ．，（Ｃｉｎｃｉｎｎａｔｉ，ＯＨ，ＵＳＡ）からＴＩＤＥの製品名で流通している洗濯洗剤用の一般型であり得る。洗濯洗剤は液体又はジェルであり得る。
【００１０】
洗濯洗剤用包装１は、容器内面１１２と、反対側の容器外面１１１とを有する容器１１０を備え得る。容器１１０は、高密度ポリエチレン、ポリプロピレン、又は他の好適な材料で作られた、射出成形ボトル、射出延伸ブロー成形ボトル、ブロー成形ボトル、又は他のタイプのボトルであってもよい。容器１１０は、容器１１０と一体になった又は容器１１０から延びるハンドル１３を有することができ、ハンドル１３は、人の手に収まるようにサイズ決め及び寸法設定され、容器１１０と機能的に係合される。ハンドル１３は容器１１０の一体部分であり得る。ハンドル１３は容器１１０から延びていてもよい。ハンドル１３は、容器１１０に取り付けられた部品であってもよい。
【００１１】
外面１１１は、一次ラベル面２を有し得る。一次ラベル面２は、製品が店舗の棚の上にあるときに消費者に提示される容器外面１１１の一部である。一次ラベル面２は、包装の前側である。一次ラベル面２は製品名を含む。一次ラベル面２は、例えば、製品の用途、広告内容、洗濯洗剤用包装１の内容物の正味重量又は正味容積といった他の情報を含んでもよい。一次ラベル面２は、例えば、香り又は鮮やかな白い洗濯物といった、期待される利益を暗示することを目的としたグラフィックスを含んでもよい。一次ラベル面２は、例えば、漂白剤、酵素、増白剤、布地柔軟剤、及びしわ低減剤などの技術のいずれか１つ又は組み合わせが配合物に提供されているかどうかなど、洗濯洗剤配合物の内容に関する情報を含んでもよい。外面１１１は二次ラベル面を有してもよく、この二次ラベル面は、製品が棚の上に陳列されたとき、消費者に完全には提示されない。二次ラベル面は包装の後側であってもよい。二次ラベル面は一次ラベル面２の反対側であってもよい。二次ラベル面は、例えば、製品名、製造業者又は販売業者、成分リスト、使用説明書、製造業者又は販売業者の連絡先、及び洗濯洗剤用包装１の商品統一分類コードなどの情報を含んでもよい。一次ラベル面２は、例えば、統一製品コード、バーコード、ＡＴ＆Ｔ  ｕｖｅｒｓｅクーポンコード、又は小売店の精算用の光学スキャナで読み取り可能な他の二次元製品コードなど、光学的に走査可能な製品コードを含まなくてもよい。＆一実施形態では、容器１１０はブランドロゴ１１を有してもよい。ラベル面２のブランドロゴ１１は、容器１１０の別の部分にあるブランドロゴ１１の任意の他の外観よりも大きくてもよい。ブランドロゴ１１は、文字列及び／又はしるしであり得る。
【００１２】
洗濯洗剤用包装１は計量キャップ１０を備え得る。計量キャップ１０は基部２０を含み得る。基部２０は、基部内面３０と、基部内面３０の反対側の基部外面４０とを有する。基部２０は、材料の単一層、例えば、高密度ポリエチレン、多層化材料、中空部材、又は洗濯洗剤の容器１１０の計量キャップ１０に使用されるのに十分な構造的一体性を有する、任意の他のこのような構造体又は材料であってもよい。基部外面４０は、整数のセンチメートルの尺度で測定したときに実質的に平坦である別の表面（例えば、テーブル、又は洗濯機若しくは乾燥機の平坦部など）の上に安定して置くことができる表面構成を提供することができる。かかる表面構成は概ね平坦な表面、又は起伏のある表面構成であってもよい。基部２０が平坦な表面上に置かれると、容器１１０からの洗濯洗剤を、計量キャップ１０の注ぎ容積１００の中に注ぐことができ、洗濯洗剤が計量キャップ１０の中に注がれるか又は注入される際に、計量キャップ１０は簡単にはひっくり返らない。
【００１３】
器壁部６０は基部２０から延びる。器壁部６０は、キャップの長手方向軸線Ｌを中心に延びる。器壁部６０は、器壁部内面７０と、器壁部内面７０の反対側の器壁部外面８０とを有する。器壁部６０は、材料の単一層、例えば、高密度ポリエチレン、多層化材料、中空部材、又は洗濯洗剤の容器の計量キャップ１０として使用されるのに十分な構造的一体性を有する、任意の他のこのような構造体又は材料であってもよい。器壁部内面７０は、洗濯洗剤組成物の適切な単位用量を提供する洗濯洗剤組成物の望ましいレベルを示す、１つ又は複数のしるしを備えてもよい。しるしは、エッチング、凹部、隆起部、印刷、又は消費者が観察可能な任意の他の構造体であり得る。器壁部６０は円筒部分であってもよい。
【００１４】
器壁部内面７０及び基部内面３０は一緒になって注ぎ容積１００を画定し、基部内面３０は、注ぎ容積１００の閉鎖端部を形成する。注ぎ容積は、容器１１０内に収容されている洗濯洗剤組成物の単位用量を提供するようにサイズ決め及び寸法設定され得る。洗濯洗剤組成物は、２０１２年６月２９日の時点でＰｒｏｃｔｅｒ  ＆  Ｇａｍｂｌｅ  Ｃｏ．，（Ｃｉｎｃｉｎｎａｔｉ，ＯＨ，ＵＳＡ）から入手可能な、ＴＩＤＥとして販売されている洗濯洗剤のいずれかなどの洗濯洗剤組成物であり得る。一実施形態では、器壁部内面７０及び基部内面３０は一緒になって、開口したカップ、又は部分的に開口したカップを形成することができ、基部内面３０は計量キャップ１０の閉鎖端部を形成する。計量キャップ１０は、器壁部６０の縁によって画定される、又は器壁部６０の縁によって部分的に画定される、計量キャップ１０の開放端部の開放部分を通って延びる長手方向軸線Ｌを有し得る。
【００１５】
器壁部６０の器壁部内面７０は、長手方向軸Ｌを中心とした回転面によって画定され得る。一実施形態では、器壁部６０の器壁部内面７０は、中空円筒の内面の一部によって画定され得る。長手方向軸線Ｌに平行でない関数の回転面、及び、非線型関数の回転面が考慮される。回転面である器壁部６０の器壁部内面７０を有する計量キャップ１０により、計量キャップ１０の製造が容易となり、かつ製造及び包装中に、容器１１０を洗濯洗剤組成物で充填した後に、計量キャップ１０と容器１１０とを係合するのが容易となり得る。
【００１６】
計量キャップ１０は容器１１０と係合させることができる。例えば、計量キャップ１０を、容器のクロージャと係合させることができる。クロージャは、例えば、押し上げ式クロージャ、若しくは引いて開くノズル、又はねじ込みクロージャであり得る。計量キャップ１０とクロージャとの間の係合は、例えば、ネジ接続又は圧嵌めによってもたらすことができる。計量キャップ１０は、洗濯洗剤組成物を収容している容器１１０の開口部と取り外し可能に係合させることができる。計量キャップ１０は、例えば、計量キャップ１０及び容器１１０に対応して配設されたネジ山を噛み合わせることによって、計量キャップ１０と容器１１０との間の突起と溝との嵌合によって、容器１１０と取り外し可能に係合させることができる。計量キャップ１０は、基部内面５０、器壁部内面７０、及び容器内面１１２が一緒になって、洗濯洗剤を収容しているエンクロージャを画定するように、容器１１０の開口部と取り外し可能に係合させることができる。
【００１７】
計量キャップ１０が容器１１０と係合したときに、表面凹凸部の領域１５０の所望の位置を得るために、計量キャップ１０のネジ山（存在する場合）及び容器１１０の対応するネジ山（存在する場合）は、計量キャップ１０が容器１１０と係合したときに表面凹凸部の領域１５０が所望通りに位置するように位置付けられ、サイズ決めされ、かつ寸法設定されることができる。計量キャップ１０と容器１１０との間で突起と溝との嵌合が用いられる場合には、溝（１乃至複数）の末端部は、突起が溝の末端部に当接したときに、表面凹凸部の領域１５０が所望通りに位置するように位置付けられる必要がある。計量キャップ１０は、容器１１０と封止的に係合させることができる。
【００１８】
計量キャップ１０は、基部外面４０上に、表面凹凸部の領域１５０を含んでもよい。洗濯洗剤組成物を注ぐために消費者が計量キャップ１０を把持して、注ぎが行われると、表面凹凸部の領域１５０は適切な位置にきて、消費者が手でキャップを再配置する必要なく、布地上の汚れを表面凹凸部の領域１５０でこするために使用することができる。洗濯洗剤組成物が注ぎ可能でない場合、例えば液体洗濯組成物がジェルの場合には、消費者は、ある量の洗濯洗剤を計量キャップ１０内に入れたまま、計量キャップ１０上の表面凹凸部の領域１５０を使用して汚れをこすることができる。消費者は、汚れの前処理が終了したら、洗濯洗剤の入った計量キャップ１０を洗濯機に放り込むことができる。
【００１９】
汚れ前処理プロセスの一部として布地の汚れに洗濯洗剤組成物が塗布される前又は後に、表面凹凸部の領域１５０は、汚れた布地をこすることができる地形学的に多様な表面を提供することができる。地形学的に多様な表面は、平滑でない表面である。布地上の汚れをこするとき、表面凹凸部の領域１５０は、汚れの凝集を除去し、布地の繊維構造を徐々に変形させ、洗濯洗剤組成物がより完全に繊維構造に浸透するのを可能にし、布地の繊維を操作することによって、繊維のより大きな表面積が洗濯洗剤組成物によって湿潤されるのを可能にするのを助けると考えられる。理論に束縛されるものではないが、汚れの凝集を除去すること、洗濯洗剤組成物がより完全に汚れた布地に浸透すること、及び繊維のより大きな表面積に洗濯洗剤組成物を塗布することは、布地の汚れの前処理の有効性を改善することができると考えられる。
【００２０】
器壁部外面８０は、複数の把持凹凸部２６０を含み得る。把持凹凸部２６０は、器壁部６０に対して窪んだ部分、器壁部６０に対して隆起した部分、及びこれらの組み合わせからなる群から選択され得る。把持凹凸部２６０は、器壁部外面８０の粗面を提供することができ、それにより消費者は、計量キャップ１０を容器１１０から取り外して、洗濯洗剤の単位用量を分配するために計量キャップ１０を使用するときに、計量キャップ１０をしっかりと把持することが可能となる。
【００２１】
一実施形態では、表面凹凸部の領域１５０は、図２に概略的に示されるように、一次ラベル面２が、目１８が基部外面４０と同じ高さである観察者１７の視線と整列したときに、表面凹凸部の領域１５０が観察者１７に視認可能であるように位置付けられる。観察者１７は、棚４００の上の洗濯洗剤用包装１を見ている、洗濯洗剤を買おうとしている人であってもよい。洗濯洗剤用包装１は、通常、開放高さが洗濯洗剤用包装２の高さよりわずかに大きいだけのぎっしり詰め込まれた棚の上で、消費者に提示される。そのため、一次ラベル面２が、目１８が基部外面４０と同じ高さである観察者１７の視線と整列したとき、表面凹凸部の領域１５０の一般的な位置範囲は、２つ存在する。１つの一般的な位置範囲は、表面凹凸部の領域１５０の少なくとも一部が、洗濯洗剤用包装１の、一次ラベル面２と同じ側に概ね向けられている位置範囲である。第２の一般的な位置範囲は、表面凹凸部の領域１５０の少なくとも一部が、洗濯洗剤用包装１の、一次ラベル面２と反対側に概ね向けられている位置範囲である。
【００２２】
一次ラベル面２が、目１８が基部外面４０と同じ高さである観察者１７の視線と整列したときに、表面凹凸部の領域１５０が観察者１７に視認可能であるように、表面凹凸部の領域１５０が位置付けられる実施形態は、そのような構成が、汚れた衣類を前処理するために使用することができる計量キャップ１０のエキサイティングな特徴が洗濯洗剤用包装１に備わっているのを、消費者が、包装１をより近くで入念に調べるために洗濯洗剤用包装１を棚から取り出さずに理解することができるようにすることから、実用的である。そのような利益は、例えば、洗濯洗剤用包装１が、床の真上から高さ約２．５ｍまでの範囲の高さで棚に定置されたときに、もたらされ得る。
【００２３】
前述の構成は、表面凹凸部の領域１５０の一般的な位置範囲（一般的な位置範囲では、表面凹凸部の領域１５０は、洗濯洗剤用包装１の、一次ラベル面２と反対側に概ね向けられている）とは対照的である。消費者がそのような洗濯洗剤用包装１を店舗で見た場合、汚れた衣類を前処理するために使用することができる計量キャップ１０のエキサイティングな特徴が洗濯洗剤用包装１に備わっているのを、消費者は理解することができないであろう。消費者とコミュニケーションをとるための確実な手段は、製品の選択時に製品の特徴を示すことなので、消費者が利益を認識できないことは、販売業者にとって問題となる。棚において表面凹凸部１５０を観察者１７に提示できない場合、販売業者は、棚において前処理効果を販売促進する機会を失う。更に重要なことには、消費者は、汚れた衣類を前処理するために使用することができる計量キャップ１０の特徴に気付くことができず、改善された汚れ除去を達成する機会を失うことになる。
【００２４】
当然ながら、販売業者は、包装１のラベル面２に書かれた前処理効果を、画像又は文章によって販売促進することができるが、洗濯洗剤が更に小型化されて、より小さな容器の中に包装されるようになるにつれて、ラベルスペースは重要な場所となるので、この手法は魅力的ではない。販売業者は、ブランド名を、一次ラベル面２の最も目立つ特徴にしたがる傾向がある。前処理効果に関する情報を一次ラベル面２に含めるという選択肢は、ブランド名のサイズを小さくする、又は消費者が製品を選択する際に役立つと考える場合がある他の情報を削除するという犠牲を払うことで得られる。
【００２５】
図３に示されるように、表面凹凸部の領域１５０は、計量キャップ１０の長手方向軸線Ｌに直交する平面内に重心２３を有し得る。図３は、観察者１７の頭部の上面図を示し、観察者の目１８の位置を示すために提供されている。重心２３は、計量キャップの長手方向軸線Ｌに直交する平面に投影された、表面凹凸部の領域１５０の質量中心である。重心２３は、計量キャップ１０の長手方向軸線Ｌを中心に測定した場合に、視線１９から約π／８ラジアンを超えて離れていてもよい。そのように配置すると、棚の上の包装１を見ている消費者が、表面凹凸部の領域１５０を横から見る機会を有する確率が高くなり、それにより表面凹凸部の領域１５０が消費者にとってより認識可能となり得ると考えられている。表面凹凸部の領域１５０が、計量キャップ１０の長手方向軸線Ｌを中心に測定した場合に、視線１９のπ／８ラジアン以内にある場合には、表面凹凸部の領域１５０は消費者に直接提示されるが、表面凹凸部の領域の重心２３が直接の視線１９からはずれて提示された場合に匹敵するほどの、計量キャップ１０の周辺部及び周囲環境とのコントラストは得られない可能性がある。かかる構成は依然として望ましくかつ実用的であり得、表面凹凸部の領域１５０が観察者１７から離れて配向される構成よりも有利である。
【００２６】
重心２３は、計量キャップ１０の長手方向軸線Ｌを中心に測定した場合に、視線１９から約π／２ラジアン離れていてもよい。かかる構成は、消費者が表面凹凸部の領域１５０の少なくとも一部を横から見ることができるように、表面凹凸部の領域１５０を配置することができる。理論に束縛されるものではないが、表面凹凸部の領域１５０の重心２３を位置調整することにより、消費者が表面凹凸部の領域を横から認識するのを可能にすることができ、それにより表面凹凸部の領域１５０が消費者にとって視覚的に容易に認識可能となり得る。
【００２７】
一実施形態では、容器１１０は、容器１１０と一体になった又は容器１１０から延びるハンドル１３を有し、ハンドル１３及び表面凹凸部の領域１５０の重心２３は、例えば図１のように、包装１の共通側に実質的に整列される。他の実施形態では、ハンドル１３及び重心２３は、例えば図３のように、包装１の実質的に両側にある。多くの洗濯洗剤用包装はハンドルを有しており、このハンドルは、消費者がラベル面を見たときに、包装の左側又は包装の右側に出現するように位置付けられることが多いので、かかる構成は実用的であり得る。洗濯洗剤用包装１を、表面凹凸部の領域１５０の重心２３が包装１の共通側に実質的に整列されるか、又は包装１の実質的に両側に整列されるように構成することにより、表面凹凸部の領域１５０の少なくとも一部が観察者１７に対して横を向いて見えることになり、したがって視覚的により明白になり得る。
【００２８】
複数の洗濯洗剤用包装１は、店舗の棚の上で消費者に提示され得る。複数の洗濯洗剤用包装１は、近接離間して並んだ配列で提示され得る。複数の洗濯洗剤用包装１は、当該技術分野において棚組（shelf set）と呼ばれるものであってもよい。複数の洗濯洗剤用包装１の個々の洗濯洗剤用包装１は、互いに約１０ｃｍ未満内にあり得る。複数の洗濯洗剤用包装１の個々の洗濯洗剤用包装１は、互いに約５ｃｍ未満内にあり得る。複数の洗濯洗剤用包装１の個々の洗濯洗剤用包装１は、互いに約２ｃｍ未満内にあり得る。複数の洗濯洗剤用包装１の個々の洗濯洗剤用包装１は、互いに約１ｃｍ未満内にあり得る。複数の洗濯洗剤用包装１の個々の洗濯洗剤用包装１は、互いに約５ｍｍ未満内にあり得る。
【００２９】
各洗濯洗剤用包装１は、図４に示されるように、各計量キャップ１０の長手方向軸線Ｌが、共通の整列ライン２１０内に実質的に整列されるように配置され得る。図４は、観察者１７の頭部９００の上面図を示し、かつ観察者の目１８の位置を示すために提供されている。この構成では、それぞれの計量キャップ１０の表面凹凸部の領域１５０のそれぞれの少なくとも一部は、消費者に視認可能であり得る。計量キャップ１０のこの配置は、複数の包装の共通した特徴が消費者／観察者１７の視野内にあるので、買い物の際のより満足のいく経験を消費者／観察者１７に提供することができる。共通した特徴が消費者／観察者１７の視野内にない場合、消費者／観察者１７は、各包装が表面凹凸部の領域１５０を備えていることを理解することができず、包装が提供する範囲を理解する上で混乱する可能性がある。更に、洗濯用包装１の販売業者は、包装が棚４００の上で消費者に提示されるときに、全ての包装が同じように見えることを望む。そのような均一性は、洗濯洗剤用包装１及びその内容物が精緻に製造されたとして消費者を安心させることができる。
【００３０】
複数の洗濯洗剤用包装１は、表面凹凸部１５０のそれぞれの領域が、それぞれの計量キャップ１０の長手方向軸線Ｌに直交する平面内に重心２３を有するように構成されてもよく、その場合、それぞれの重心２３は、それぞれの計量キャップ１０の長手方向軸線Ｌを中心に測定した場合に、視線１９から約π／８ラジアンを超えて離れている。この構成により、店舗の棚の上の洗濯洗剤用包装１を調べている消費者／観察者によって横から見られる表面凹凸部の領域１５０の少なくとも一部をもたらすことができる。表面凹凸部の領域１５０は、真っ直ぐに見た場合に比べて、横から見た場合により視覚的に目立ち得る。消費者が表面凹凸部の領域１５０の少なくとも一部を横から見ることになるように、各重心２３は、共通の整列ライン２１０から約０ラジアン離れて位置付けられてもよい。
【００３１】
一実施形態では、表面凹凸部の領域１５０は第１の材料を含んでもよく、器壁部６０は第２材料を含んでもよく、第１材料と第２材料は互いに異なる。異なる材料は異なる光沢を提供し、この光沢は、消費者／観察者１７が棚の上の包装１を調べているときに消費者／観察者１７によって認識され得る。よって、消費者は、棚の上の包装１を調べているときに、計量キャップ１０がただの単純な計量キャップ１０であること以上に、あるエキサイティングな付加特徴を備えていることに気付くことができる可能性があり、また、計量キャップ１０をより詳しく調べる気になる可能性がある。
【００３２】
一実施形態では、表面凹凸部の領域１５０は第１の材料６５２を含んでもよく、器壁部６０は第２の材料６５３を含んでもよく、第１の材料６５２と第２の材料６５３は、弾性係数、化学組成、ショアＡ硬度、色、及びこれらの組み合わせからなる群から選択される特性によって、互いに異なる。ショアＡ硬度は、材料が評価されるとき、同じ組成の材料でＡＳＴＭ  Ｄ２２４０に従って測定される。第１の材料６５２からなる表面凹凸部の領域１５０と、第２の材料６５３からなる器壁部６０とを含む計量キャップ１０は、二段階射出成形工程によって形成されることができ、第１の材料６５２及び第２の材料６５３は、樹脂の別個のショットで成形型に供給される。一実施形態では、第１の材料６５２は、ポリプロピレン、ゴム、ネオプレン、及び／又はＫＲＡＴＯＮを含んでもよい。一実施形態では、計量キャップ１０の、第１の材料６５２に隣接している部分は、高密度ポリエチレン、ポリプロピレン、ポリアミド、スチロールアクリロニトリル（styro lacrylintrol）であってもよい。表面凹凸部の領域１５０は、エラストマー材であってもよい。
【００３３】
一実施形態では、より低いショアＡ硬度又はより低い弾性係数によって示すことができるように、第１の材料６５２はユーザーにとって、第２の材料６５３よりも柔軟な感触を有してもよい。第２の材料６５３は、洗濯洗剤組成物の包装、保管、搬送、及び陳列中、並びに汚れを前処理するために消費者による計量キャップ１０の使用中に、計量キャップ１０の許容可能な全体的な構造的安定性を提供するように選択されてもよい。より容易に変形可能な第１の材料６５２は、第２の材料６５３から形成されたこすり面よりも、処理される布地に対して優しいこすり面を提供することができ、処理される布地に損傷を与えない場合がある。第１の材料６５２は、約２０〜約８０のショアＡ硬度を有し得る。第１の材料６５２は、約４０〜約６０のショアＡ硬度を有し得る。第１の材料６５２は、計量キャップ１０の、第１の材料６５２に隣接している一部のショアＡ硬度の約８０％未満であるショアＡ硬度を有し得る。
【００３４】
一実施形態では、表面凹凸部の領域１５０は第１の材料６５２を含むことができ、器壁部６０は第２の材料６５３を含むことができ、第１の材料６５２及び第２の材料６５３は、色のＬ＊、ａ＊、及びｂ＊に従ってハンター反射率計試験によって測定され、第１の材料６５２は色差を有し、この色差は、Ｌ＊、ａ＊、及びｂ＊の値を使用して、式ΔＥ＝［（Ｌ＊Ｘ．−Ｌ＊Ｙ）２＋（ａ＊Ｘ．−ａ＊Ｙ）２＋（ｂ＊Ｘ−ｂ＊Ｙ）２］１／２によって計算され、第１の材料６５２と第２の材料６５３との間のΔＥは、少なくとも約１である。
【００３５】
第１の材料６５２及び第２の材料６５３の色は、色のＬ＊、ａ＊、及びｂ＊の値に従って反射分光光度計によって測定される。
【００３６】
色差は、Ｌ＊値、ａ＊値、及びｂ＊値を使用して、ΔＥ＝［（Ｌ＊Ｘ．−Ｌ＊Ｙ）２＋（ａ＊Ｘ．−ａ＊Ｙ）２＋（ｂ＊Ｘ−ｂ＊Ｙ）２］１／２によって計算することができる。ここで、方程式における「Ｘ」は第１の材料６５２を表し、「Ｙ」は第２の材料６５３を表し、Ｘ及びＹは同時に測定される同じ２つの点ではない。いずれの特定の色差比較についても、Ｘの位置≠Ｙの位置である。
【００３７】
ヴァージニア州レストン所在のハンター・アソシエイツ・ラボラトリー社（Hunter Associates Laboratory）より入手したＨｕｎｔｅｒ  Ｌａｂ  ＬａｂＳｃａｎ  ＸＥ反射分光光度計を使用して、反射色を測定する。計量キャップ１０は、１８℃〜２４℃の周囲温度、及び５０％〜８０％の相対湿度において試験する。
【００３８】
分光光度計をＣＩＥＬａｂ色スケールに設定し、Ｄ６５照明を用いる。観察者を１０°に設定し、モード（Mode）を４５／０°に設定する。エリアビューを０．３１８ｃｍ（０．１２５インチ）に設定し、ポートサイズを０．５ｃｍ（０．２０インチ）に設定する。分光光度計を較正してから、供給業者から機器とともに供給される黒色ガラス及び白色参照用タイルを用いてサンプルを分析する。ＬａｂＳｃａｎ  ＸＥユーザーズマニュアル、マニュアルバージョン１．１（２００１年８月、Ａ６０−１０１０−８６２）に記載されているように製造業者の取扱説明書に従って、較正を実施する。参照用タイル又はサンプルのクリーニングが必要な場合、エンボス加工、ローション、又は光沢剤を含まないティッシュ（例えば、ＰＵＦＦＳティッシュ）のみを使用する。分析対象となる色を含むキャップ上の任意のサンプル点を選択することができる。
【００３９】
計量キャップ１０は、その計量キャップ１０の背後に白いクランプディスクを配置した状態で、分光光度計のサンプルポートの上に定置する。
【００４０】
計量キャップ１０を取り外し、計量キャップ１０の色の読み取りを少なくとも６回行うように再配置する。可能な場合（例えば、対象となる要素上の付与された色のサイズが、６個の別個の異なる、互いに重なり合わない試料点を得ることを制限しない場合）、どの２個の試料点も重なり合うことがないように、外側に見える表面上の実質的に異なる領域でそれぞれの読み取りを実施する。キャップの、第１の材料６５２又は第２の材料６５３を含む部分のサイズが、試料点の重なり合いを必要とする場合、任意の２つの試料点の間の重なり合いを最小限に抑えるように選択された試料点を有する６つのサンプルだけを取得すべきである。読み取り値を平均して、外側に見える要素の表面上の指定された色について、記録されたＬ＊、ａ＊、及びｂ＊値を得る。第１の材料６５２及び第２の材料６５３は、ΔＥが約１より大きい場合、異なる色を有すると考えられる。第１の材料６５２及び第２の材料６５３を２つの異なる色で提供することは、汚れをこするために用いられるように設計されたエキサイティングな特徴が計量キャップ１０に存在することを消費者が迅速に認識するのに役立つことができ、また、洗濯洗剤組成物の計量キャップ１０及び包装１の製造及び／又は組立中に計量キャップ１０を位置付けるために用いることができる視覚システムの役に立ち得る。
【００４１】
表面凹凸部の領域１５０は、計量キャップ１０の、表面凹凸部の領域１５０に隣接する部分の表面トポグラフィとは異なる表面トポグラフィを有することができる。表面凹凸部の領域１５０は、隣接するピーク部と低い部分との間の振幅が約０．１ｍｍを超える、複数のピーク部と複数の低い部分とを有する表面を提供することができる。表面凹凸部の領域１５０は、隣接するピーク部と低い部分との間の振幅が約０．２ｍｍを超える、複数のピーク部と複数の低い部分とを有する表面を提供することができる。表面凹凸部の領域１５０は、隣接するピーク部と低い部分との間の振幅が約０．５ｍｍを超える、複数のピーク部と複数の低い部分とを有する表面を提供することができる。表面凹凸部の領域１５０は、隣接するピーク部と低い部分との間の振幅が約１ｍｍを超える、複数のピーク部と複数の低い部分とを有する表面を提供することができる。低い部分は谷部分であってもよい。表面凹凸部の領域１５０は、計量キャップ１０の、表面凹凸部の領域１５０に隣接する部分の表面トポグラフィとは異なる表面トポグラフィを有する領域を画定することができる。表面凹凸部の領域１５０は、断続的に配置された凹んだ部分を有する、一連の上昇部分であってもよい。凹んだ部分は連続的であってもよい。上昇部分は連続的であってもよい。
【００４２】
表面凹凸部の領域１５０は、リング、リブ、突起部、毛、繊維、及びこれらの組み合わせからなる群から選択される構造体であり得る。リブ１５２は、上昇部分に対して窪んでいる断続的に配置された細長い凹んだ部分を有する複数の細長い上昇部分であり、かかるリブ１５２の非限定的な例が図５に示されている。リブ１５２は、例えば、基材にエッチングされた、又は成形された複数の隣接する溝部であってもよく、また複数の隣接した隆起部であってもよい。リブ１５２は、例えば、基材に複数の隣接した溝部をエッチングすることによって、複数の隣接する溝部を背後に残すように基材を成形することによって、及び複数の隣接した隆起部を背後に残すように基材を成形することによって、基材に形成されてもよい。リブ１５２は、直線縁部及び円形を含め、任意の所望の断面形状を有してもよい。リブ１５２は、それらの長さに沿って湾曲していてもよい。リブ１５２は、布地を効果的にこすり洗いし、マッサージすることができる、凹凸のあるトポグラフィを提供すると考えられる。
【００４３】
突起部１５４は、隣接する部分に対して上昇している、又は窪んでいる、概ね二次元の対称的な特徴であり、その例の概略は図６に示されている。突起部１５４は、非限定的な例を挙げれば、半球の一部の形状を有する上昇部分若しくは窪んだ部分、及び、直径Ｄの半分未満である高さＨを有する円筒の形状を有する上昇部分又は窪んだ部分であり得る。計量キャップ１０の、突起部１５４を有する表面凹凸部の領域１５０を有する一部を形成することができる基材の例が、図６に概略的に例示されている。突起部１５４は、布地を効果的にこすり洗いし、マッサージすることができる、凹凸のあるトポグラフィを提供すると考えられる。
【００４４】
計量キャップ１０の、複数の毛１５６を有する一部の例が、図７に示されている。毛１５６は、約０．５よりも大きい直径Ｄに対する高さＨのアスペクト比を有するフィラメントである。直径Ｄは、毛１５６が計量キャップ１０から延びる位置である毛の基部において測定される。毛１５６の高さＨは、そこから毛１５６の基部が、毛１５６と共に延びる表面に直交して測定され、毛１５６は、毛１５６の基部がそこから延びる表面から直交して延びる。毛１５６は、そこから毛１５６の基部が延びる表面から延びるとき、自立する形状を有することができる。非円筒形の断面を有する毛１５６に関して、直径Ｄは、そこから毛１５６が計量キャップ１０から延びる位置において、毛１５６の断面積と同じ断面積を有する円筒形の直径となる。フィラメントは別個のフィラメントであってもよい。毛１５６は、約１よりも大きい、直径Ｄに対する高さＨのアスペクト比を有するフィラメントであってもよい。毛１５６は、約０．５よりも大きい、直径Ｄに対する高さＨのアスペクト比を有するフィラメントであってもよい。毛１５６は、概ね円柱状の毛１５６であってもよい。毛１５６は、布地を効果的にこすり洗いし、マッサージすることができる、粗い質感／トポグラフィを提供すると考えられる。毛１５６は中空であってもよい。毛１５６は、固定された端部２５６及び自由端２５７を有してもよい。毛１５６は約１ｍｍ〜約１０ｍｍの高さを有してよい。毛１５６は約３ｍｍ〜約７ｍｍの高さを有してよい。毛１５６は約７ｍｍ未満の高さを有してよい。
【００４５】
リング１５８は閉鎖形状であり、この閉鎖形状の中央部分１５９は、その形状の周辺部分１６１に対して凹んでおり、その概略例は図８に示されている。リング１５８は、布地を効果的にこすり洗いし、マッサージすることができる、凹凸のあるトポグラフィを提供するという点で実用的であると考えられる。リングは約０．５ｍｍ〜約３ｍｍの高さを有してよい。リングは約２ｍｍ未満の高さを有してよい。リングは約１．５ｍｍの高さを有してよい。
【００４６】
繊維は、織布、不織布、フック又はループ状繊維であってもよく、例えば、計量キャップ１０に取り付けられている織布又は不織布繊維によって所望の位置に提供されてもよい。計量キャップ１０の安価で製造が容易な実施形態は、繊維を表面凹凸部１５０として使用することによって作製され得る。
【００４７】
毛１５６を含む表面凹凸部の領域１５０では、毛が計量キャップ１０の長手方向軸線Ｌに平行に概ね整列するか、若しくはキャップの長手方向軸線Ｌに直交して概ね整列するか、又は長手方向軸線Ｌに対して他の何らかの角度となるように、毛１５６を形成することができる。かかる構成では、表面凹凸部の領域１５５が汚れた布地をこするとき、計量キャップ１０が傾けられる傾向がある。したがって、ユーザーが計量キャップ１０を使用してこするとき、通常の力と剪断力との組み合わせが、汚れた布地に送達され、毛１５６は、屈折することによって、個々の毛１５６の効果的なブラッシング運動を作り出す傾向があり得る。
【００４８】
毛１５６は、表面凹凸部の領域１５０に存在する場合、毛１５６が長手方向軸Ｌから計量キャップ１０の器壁部外面８０の最大半径範囲で入れ子になるように設定されてもよい。かかる構成は、移送、保管、及び使用中の損傷から毛１５６を保護することができる。同様の利益を目的として、毛１５６は、計量キャップ１０の長手方向軸Ｌに沿って最大軸範囲内で毛１５６が入れ子になるように設定されてもよい。
【００４９】
高密度液体洗剤組成物では、注ぎ容積１００は、約１０ｍＬ〜約２００ｍＬの注ぎ容積１００をもたらすようにサイズ決め及び寸法設定され得る。高密度液体洗剤組成物の緻密度に応じて、注ぎ容積１００は、約３０ｍＬ〜約１００ｍＬの注ぎ容積１００をもたらすようにサイズ決め及び寸法設定され得る。高密度液体洗剤組成物の緻密度に応じて、注ぎ容積１００は、約４５ｍＬ〜約７７ｍＬの注ぎ容積１００をもたらすようにサイズ決め及び寸法設定され得る。器壁部６０は、約２２５ｍｍの長手方向軸線Ｌを中心とした放射状の外周を画定できる。器壁部６０は、約６７ｍｍの高さを有してよい。
【００５０】
表面凹凸部の領域１５０は、熱可塑性エラストマーを含み得る。熱硬化性材料とは対照的に、熱可塑性エラストマーは、処理される布地をこするときに布地により優しい場合があるため、表面凹凸部の領域１５０で熱可塑性エラストマーを使用することは有利であり得る。表面凹凸部の領域１５０は、アクリロニトリルブタジエンスチレンであり得る。器壁部６０及び／又は基部２０は、本明細書に記載される実施形態において熱硬化性材料からなってよい。器壁部６０及び／又は基部２０は、アクリロニトリルブタジエンスチレンからなってよい。器壁部６０及び／又は基部２０は、ポリプロピレンからなってよい。器壁部６０及び／又は基部２０は、２０１２年３月２２日の時点でＴｈｅ  Ｐｒｏｃｔｅｒ＆Ｇａｍｂｌｅ  Ｃｏ．（Ｃｉｎｃｉｎｎａｔｉ，ＯＨ）により製造されているＴＩＤＥ液体洗剤の包装のキャップに使用されている材料からなってよい。器壁部６０及び／又は基部２０がポリプロピレンであり、熱可塑性エラストマーが表面凹凸部の領域１５０のいずれか又は両方に用いられる場合、熱可塑性エラストマーはポリプロピレンと適合し得る種類であるように選択され得る。
【００５１】
計量キャップ１０の異なる部分に異なる利点をもたらすため、及び／又は計量キャップ１０の製造コストを最適化するために、表面凹凸部の領域１５０及び器壁部６０が互いに異なる化学組成の材料を含む計量キャップ１０を有することが実用的であり得る。
【００５２】
計量キャップ１０を容器１１０から取り外すために消費者が計量キャップ１０を把持する際に硬く、消費者製品の製造中に容器１１０への取り付けに耐えるだけ十分に硬く、かつ、搬送及び保管に耐えるだけ十分に硬い剛性容器壁部を提供するため、器壁部６０は、表面凹凸部の領域１５０のショアＡ硬度を超えるショアＡ硬度を有する材料を含み得る。
【００５３】
基部外面４０は基部外面表面積を有し、これは基部外面４０の表面の面積である。棚において観察者１７に視認可能であり、かつ汚れの前処理に効果的である、十分に大きな表面凹凸部の領域１５０を有する計量キャップ１０を提供するため、表面凹凸部の領域は、基部外面の表面積の約１０％〜約９０％を構成してもよい。表面凹凸部の領域１５０は、基部外面の表面積の約１５％超を構成してもよい。表面凹凸部の領域１５０は、基部外面の表面積の約２５％超を構成してもよい。表面凹凸部の領域１５０は、基部外面の表面積の約３５％超を構成してもよい。表面凹凸部の領域１５０は、基部外面の表面積の約４５％超を構成してもよい。かかる構成を有することにより、表面凹凸部の領域１５０がキャップの基部２０の残り部分と視覚的に対比されるため、表面凹凸部の領域１５０が、基部外面４０の他の領域又は部分に比べて、いくつかの特異的な性質及び／又は能力を有することを、消費者はより良く識別できる可能性がある。
【００５４】
図９は、計量キャップ１０の斜視図である。計量キャップ１０を横から見た場合、表面凹凸部１５０（この例では毛１５６として示されている）は、目の高さが基部外面４０と同じである消費者に視認可能であり得る。図９に示される計量キャップ１０、又は他のこのような計量キャップは、計量キャップ１０がクロージャであるか、又は何らかの方法で容器１１０に取り付けられた他の何らかの構成要素であるかにかかわらず、本明細書に開示される実施形態のいずれかに有用であり得る。表面凹凸部１５０の第２の領域（例えば図９においてはリング１５８）を、計量キャップの基部外面４０上に設けることもできる。
【００５５】
特に指示のない限り、本明細書で使用される全ての百分率及び比率は、全組成物の重量を基準とし、かつ全ての測定は２５℃にて行われる。１角度は、完全な回転の１／３６０に大きさが等しい角度指標の平面単位である。
【００５６】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【００５７】
引用される全ての文献は、その関連部分において参照により本明細書に組み込まれるが、いずれの文献の引用もそれが本発明に関連する先行技術であることの容認として解釈されるべきではない。
【図１】
2015527260.tif 000003
【図２】
2015527260.tif 000004
【図３】
2015527260.tif 000005
【図４】
2015527260.tif 000006
【図５】
2015527260.tif 000007
【図６】
2015527260.tif 000008
【図７】
2015527260.tif 000009
【図８】
2015527260.tif 000010
【図９】
2015527260.tif 000011
【国際調査報告】
2015527260.tif 000012
2015527260.tif 000013